(57)【要約】【課題】衣服に花を簡易に体裁よく飾り付けることができる花止め具および衣服の装飾構造を提供する。【解決手段】衣服Ｗに、花を取り付けるための花止め具１であって、互いに接近離間可能に設けられた、挿入孔Ｗａに通された花３０の茎部分３１を挟む一対の挟持部材２５，２５を備えた挟持手段２０と、挟持手段２０の一対の挟持部材２５，２５を、互いに接近するように付勢する付勢手段１５とからなり、一対の挟持部材２５，２５が、両者の間に略楕円形の隙間を形成する、互いに対向する曲面を備えた茎把持部２６をそれぞれ有している。衣服Ｗの挿入孔Ｗａに花３０の茎部分３１を挿入し、花３０の花びら３２を衣服Ｗの表側に、花３０の茎の部分３１を衣服Ｗの裏側に配置した状態で、花止め具１の挟持手段２０によって花３０の茎部分３１を、衣服Ｗの裏側で挟めば、花３０を衣服Ｗに固定することができる。【選択図】図１
2006187458.tif 000002
【特許請求の範囲】
【請求項１】
表面と裏面との間を貫通する貫通孔が形成された衣服に、花を取り付けるための花止め具であって、
互いに接近離間可能に設けられた、前記貫通孔に通された花の茎部分を挟む一対の挟持部材を備えた挟持手段と、
該挟持手段の一対の挟持部材を、互いに接近するように付勢した状態で保持する付勢手段とからなり、
前記一対の挟持部材が、
両者の間に略楕円形の隙間を形成する、互いに対向する曲面を備えた茎把持部をそれぞれ有している
ことを特徴とする花止め具。
【請求項２】
前記一対の挟持部材における茎把持部において、互いに対向する曲面に複数の支持突起が設けられており、
前記一対の挟持部材が接近した状態において、前記複数の支持突起の先端間に形成される空間における該一対の挟持部材が接近離間する方向の長さは、該一対の茎把持部によって支持される花の茎の直径よりも短くなるように形成されている
ことを特徴とする請求項１記載の花止め具。
【請求項３】
前記一対の挟持部材において、前記茎把持部を挟む位置に、該一対の挟持部材の接近離間を案内する一対の案内部が設けられており、
該案内部が、
該一対の挟持部材にそれぞれ設けられ、該一対の挟持部材の接近離間方向と平行であって互いに面接触するように形成された案内面を備えており、
該一対の案内部のうち、一方の案内部は、前記案内面と直交する方向への該一対の挟持部材の移動を制限するように係合している
ことを特徴とする請求項１または２記載の花止め具。
【請求項４】
樹脂材料によって形成されたものである
ことを特徴とする請求項１、２または３記載の花止め具。
【発明の詳細な説明】
【技術分野】
【０００１】
本発明は、花止め具に関する。花は様々な場面、場所において、その場面等の華やかさを演出する装飾品として使用される。花を飾り付ける用品としては、室内で飾るのであれば花瓶が一般的に使用され、衣服に飾り付ける場合、従来はコサージュ等として安全ピン等を用いて、飾り付けていた。
そこで本発明は、衣服に花、特に生花を飾り付けるための花止め具に関する。
【背景技術】
【０００２】
花を衣服に取り付けて装飾する技術として、従来は生花を用いるのではなく布等で作られた造花でコサージュを作り、安全ピンなどで衣服に取り付けているものがある。しかし、これは、事前に製作されていなければならないものであるため、生花を用いることはできない。そこで、生花を衣服等に取り付ける技術として、従来例１（特許文献１，２）、従来例２（特許文献３、４）記載の技術がある。
【０００３】
従来例１の花止め具は、花を取り付けるための短筒と、この短筒に固定されたクリップとを備えており、短筒に花を挿した状態において、クリップで衣服に止めると、花を衣服に取り付けて飾ることができるものである。
従来例２の花止め具は、突き刺し軸と、固定具とからなる花止め具であって、突き刺し軸の一端に、その軸径よりも外径が大きい頭部が設けられたものである。このため、突き刺し軸で花の中央の花托を突き刺した状態で、対象物に設けられた孔に挿入し、その軸の他端に固定具を取り付ければ、突き刺し軸の頭部と固定具との間に、花と対象物を挟み付けることができ、花を対象物に固定して飾ることができる。
【０００４】
しかるに、従来例１の花止め具では、花を挿した短筒のクリップを用いて衣服を挟んで固定するものである。このため、花を取り付けたときに、必ずクリップや短筒の一部が衣服の表面に配置され、見栄えや体裁が悪いという問題がある。
また、このような構造のものはせいぜい衣服のポケット部分にクリップを挟むことができる程度で、たくさんの花を、衣服の様々な部分に飾り付けるということができない。
さらに、短筒に花の茎部分を挿入する構造では、茎部分がある程度の太さや長さを有する花しか使用ができず、多種多様な花の中から任意の花を選ぶことができないという問題もある。
【０００５】
従来例２の花止め具では、花に突き刺し軸を突き刺した状態で、突き刺し軸を対象物の孔に通し、突き刺し軸の頭部と固定具とで花と対象物を挟みつけるものであるので、軸を挿通できる孔が設けられている対象物であれば、どのような対象物であっても、花を取り付けることができる。しかし、突き刺し軸は花の中央、特に花托に突き刺すものであるので、生花に傷をつけることとなり、時間の経過による劣化、つまり、花弁自体もしおれたり、腐ったりするまでの時間が速まり、著しく美しさを損なうという問題がある。また、突き刺し軸に備えられた頭部は花の中央に見えるので、生花をあしらったことの美しさの意味を失い、体裁が悪い。また、突き刺しにくい小さな花であったり、まだつぼみの状態である場合には、このような取り付け具によって取り付けることができない。
【０００６】
【特許文献１】実開昭５６−７０８２９号公報
【特許文献２】特開平０９−２０６１８８号公報
【特許文献３】特開２００３−１５９１０５号公報
【特許文献４】特開平０９−２０６１８８号公報
【発明の開示】
【発明が解決しようとする課題】
【０００７】
本発明はかかる事情に鑑み、衣服に花を簡易に体裁よく飾り付けることができる花止め具を提供することを目的とする。
【課題を解決するための手段】
【０００８】
第１発明の花止め具は、表面と裏面との間を貫通する貫通孔が形成された部材に、花を取り付けるための花止め具であって、前記貫通孔に通された花の茎部分を挟む一対の挟持部材を備えた挟持手段と、該挟持手段の一対の挟持部材を、互いに接近するように付勢する付勢手段とからなり、前記一対の挟持部材が、両者の間に略楕円形の隙間を形成する、互いに対向する曲面を備えた茎把持部をそれぞれ有していることを特徴とする。
第２発明の花止め具は、第１発明において、前記一対の挟持部材における茎把持部において、互いに対向する曲面に複数の支持突起が設けられており、前記一対の挟持部材が接近した状態において、前記複数の支持突起の先端間に形成される空間における該一対の挟持部材が接近離間する方向の長さは、該一対の茎把持部によって支持される花の茎の直径よりも短くなるように形成されていることを特徴とする。
第３発明の花止め具は、第１または第２発明において、前記一対の挟持部材において、前記茎把持部を挟む位置に、該一対の挟持部材の接近離間を案内する一対の案内部が設けられており、該案内部が、該一対の挟持部材にそれぞれ設けられ、該一対の挟持部材の接近離間方向と平行であって互いに面接触するように形成された案内面を備えており、該一対の案内部のうち、一方の案内部は、前記案内面と直交する方向への該一対の挟持部材の移動を制限するように係合していることを特徴とする。
第４発明の花止め具は、第１、２または第３発明において、樹脂材料によって形成されたものであることを特徴とする。
【発明の効果】
【０００９】
第１発明によれば、一対の挟持部材を離間させた状態において、茎把持部の対向する曲面間に花の茎の部分を配置した後、一対の挟持部材を接近させれば、一対の挟持部材によって花の茎を保持することができる。よって、衣服の挿入孔に花の茎部分を挿入した状態で、花止め具の一対の挟持部材によって花の茎部分を衣服の裏側で挟めば、花を衣服に固定することができるから、花止め具を衣服の表側に露出させずに、花を衣服に体裁よく飾り付けることができる。しかも、花の茎の部分を挟む茎把持部の対向する面が曲面となっているから、花の茎に対して加わる力を、その半径方向に沿って均一にすることができ、花の茎を安定した状態で支持することができ、しかも、茎の損傷を抑えることができる。
第２発明によれば、支持突起の先端で茎を挟んで保持するから、茎の断面形状や表面の状態に係わらず、茎と茎把持部を確実に接触させることができ、安定した状態で茎を支持することができる。また、複数の支持突起を、その一対の挟持部材が接近した状態において先端間に空間が形成されるように配設しているから、花の茎に対して加わる力を、茎を支持するのに最小限の力に抑えることができ、一対の挟持部材によって茎を挟んだことにより茎が折れ曲がったりして損傷することを防ぐことができる。
第３発明によれば、一対の案内部によって一対の挟持部材の接近離間が案内されているから、茎の半径方向、つまり、茎の軸方向とほぼ直交する方向から一対の挟持部材を茎に接触させることができる。しかも、一方の案内部が、案内面と直交する方向に一対の挟持部材が移動しないように係合しているから、対向する曲面間で茎を挟むことができる。よって、一対の挟持部材の曲面から茎に加わる力の方向をほぼ同一平面上に位置させることができるので、茎を折れ曲げるような力が加わることを防ぐことができ、花の茎を安定した状態で支持することができ、しかも、茎の損傷をより確実に抑えることができる。
第４発明によれば、花止め具の重量を軽くすることができるので、花止め具が取り付けられた衣服等を着用しやすくなる。
【発明を実施するための最良の形態】
【００１０】
つぎに、本発明の実施形態を図面に基づき説明する。
図１は本実施形態の花止め具１の単体図であって、（Ａ）は斜視図であり、（Ｂ）は正面図である。図２（Ａ）は図１（Ｂ）のIIＡ−IIＡ線矢視図であり、（Ｂ）は把持部材１１の概略説明図であり、（Ｃ）は茎把持部２６の拡大説明図である。図３は（Ａ）は本実施形態の花止め具１において、一対の把持部材２５，２５を離間させた状態の説明図であり、（Ｂ）は一対の把持部材２５，２５を係合させる前の状態の説明図である。図４は、本実施形態の花止め具１を衣服に取り付けた状態の説明図である。
【００１１】
本発明の花止め具は、衣服や帽子等に花を飾り付けるためのものであって、とくに生花の飾り付けに適するような構成としたことに特徴を有するものである。
【００１２】
図１において、符号１６は、本実施形態の花止め具１の付勢手段１５の本体部を示している。この本体部１６は、不連続部を有する輪状に形成された部材であって、弾性を有するように形成されている。具体的には、本体部１６は、その側面に外方から内方に設けて力を加えると（図３（Ａ）では矢印Ｐの方向）、その内径Ｄが小さくなるように変形するが（図３（Ａ））、力を抜くと元の状態に戻る、つまり、内径Ｄが大きくなる方向に変形するように形成されている。そして、力を抜いた状態でも、不連続部に設けられた把持手段の一対の挟持部材２５，２５同士が係合していることによって、若干内径Ｄが大きくなる方向への力が発生するように、言い換えれば、係合している一対の挟持部材２５，２５に対して互いに接近させる方向ような力が発生するように構成されている。
なお、本体部１６の素材には、例えば、プラスティックや金属等の弾性を有する素材であればどのような素材であっても使用することができるが、プラスティック等の軽い樹脂材料を使用すれば、花止め具１の重量を軽くすることができるので花止め具１が取り付けられた衣服等を着用しやすくなり好適である。
【００１３】
図１および図２に示すように、前記本体部１６の不連続部分には、把持手段の上側案内部２１が設けられている。この上側案内部２１は、本体部１６の不連続部分の端縁に設けられた一対の摺動部分２１ａ，２１ａを備えており、花止め具１を正面から見たときに（図１（Ｂ）の方向）、その一対の摺動部分２１ａ，２１ａ同士が重なり合うように形成されている。
この一対の摺動部分２１ａ，２１ａは、その厚さＴが本体部１６の厚さＴ１の半分となるように形成されている。つまり、重なり合っている部分の厚さが、本体部１６の厚さＴ１の厚さと同じになるように形成されている（図２（Ａ））。
また、一対の摺動部分２１ａ，２１ａにおいて、対向する面は、互いに面接触する一対の案内面２１Ｓ，２１Ｓとなっている。この一対の案内面２１Ｓ，２１Ｓは、本体部１６に対して側面から力を加えたときに、その力によって本体部１６が変形する方向と平行となるように形成されている。具体的には、一対の摺動部分２１ａ，２１ａにおける一対の案内面２１Ｓ，２１Ｓは、本体部１６の厚さ方向の中央（図２では線ＣＰの位置）で接触し、かつ、線ＣＰに沿って面接触したまま移動するように形成されているのである。
【００１４】
図１および図２に示すように、上側案内部２１の一対の摺動部分２１ａ，２１ａの内端面（図１（Ｂ）では下面）には、把持手段の一対の挟持部材２５，２５がそれぞれ立設されている。この一対の挟持部材２５，２５は、互いに対向する面を有する板状の部材であって、その幅Ｔ２が本体部１６の厚さＴ１と同じ長さとなるように形成されたものである（図２（Ａ）、（Ｂ））。この一対の挟持部材２５，２５は、花止め具１を正面から見たときに、本体部１６における右方に位置する上側案内部２１の摺動部分２１ａと左方に位置する挟持部材２５が連結されており、本体部１６における左方に位置する上側案内部２１の摺動部分２１ａと右方に位置する挟持部材２５が連結されている。つまり、一対の挟持部材２５，２５が、互いに係合するように配設されており、しかも、互いに係合した状態では、本体部１６から互いに接近させる方向ような力が加わるように構成されているのである。
【００１５】
上記のごとき構成であるから、本実施形態の花止め具１は、付勢手段１５の本体部１６に対して外側から内側に向けて外力を加えると、本体部１６が、その内径Ｄが小さくなるように変形するから、把持手段の一対の挟持部材２５，２５を離間させることができる。そして、内径Ｄが小さくなるように変形した状態から、外力を加えるのを止めると、本体部１６が弾性力により元の形状に戻るから、一対の挟持部材２５，２５同士が再び接近し、かつ、接近した状態で保持されるのである。
【００１６】
また、図１および図２に示すように、前記一対の挟持部材２５，２５は、その上端に、一対の茎把持部２６，２６が形成されている。この一対の茎把持部２６，２６は、他方の挟持部材２５に設けられている茎把持部２６から離間するように曲がっており、両者の対向する面は，略円弧状の曲面となっている。
この茎把持部２６の曲面には、複数の支持突起２７が設けられている。この支持突起２７は、一対の挟持部材２５，２５が接近した状態において、複数の支持突起２７の先端間に空間Ａが形成されるように構成されている。そして、複数の支持突起２７は、この空間Ａにおいて、一対の挟持部材２５，２５が接近離間する方向（図１（Ｂ）および図２（Ｃ）では左右方向）の幅が最も広い部分の長さＤ１が、一対の挟持部材２５，２５の一対の茎把持部２６，２６によって支持される花の茎部分３１（図４参照）の直径よりも短く、例えば、花の茎部分３１の直径より約０．５ｍｍ〜２．５ｍｍ程度、特に１ｍｍ〜２ｍｍ程度短くなるように形成されている。
このため、花の茎部分３１を一対の茎把持部２６，２６によって挟めば、花の茎部分３１を花止め具１に固定することができる。しかも、一対の茎把持部２６，２６の対向する面が曲面になっているから、花の茎部分３１に対して加わる力を、茎部分３１の半径方向に沿ってほぼ均一にすることができ、花の茎部分３１を安定した状態で支持することができる。しかも、空間Ａにおける幅が最も広い部分の長さＤ１が、花の茎部分３１の直径より約０．５ｍｍ〜２．５ｍｍ程度、特に１ｍｍ〜２ｍｍ程度短くなるように形成されているから、一対の茎把持部２６，２６によって挟んだときに、茎部分３１を支持でき、かつ、茎部分３１が潰れたり折れ曲がったりしない程度の力で挟んでおくことができるので、茎部分３１の損傷を抑えることができ、花を長期間新鮮なままで保持しておくことができる。
また、複数の支持突起２７の先端で茎部分３１を挟んで保持するから、茎部分３１の断面形状や表面の状態に係わらず、茎部分３１と支持突起２７を確実に接触させることができ、茎把持部２６，２６によって安定した状態で茎部分３１を支持することができる。
【００１７】
そして、一対の挟持部材２５，２５の下端には、下側案内部２２の一対の摺動部分２２ａ，２２ａがそれぞれ設けられている。この一対の摺動部分２２ａ，２２ａは、対向する面に互いに面接触する一対の案内面２２Ｓ，２２Ｓが形成されている（図２（Ｂ））。各摺動部分２２ａの案内面２２Ｓは、この摺動部分２２ａが設けられている挟持部材２５が取り付けられている上側案内部２１における摺動部分２２の案内面２１Ｓと平行であって、かつ、この案内面２１Ｓと面の向きが逆となるように形成されている（図２（Ｂ））。言い換えれば、一対の摺動部分２２ａ，２２ａは、案内面２１Ｓおよび案内面２２Ｓと直交する方向には挟持部材２５が移動できないように、互いに係合しているのである。
このため、一対の挟持部材２５，２５は、図２（Ａ）における線ＣＰに沿って移動し、茎把持部２６，２６の対向する面の位置が案内面２１Ｓおよび案内面２２Ｓと直交する方向にずれないから、一対の挟持部材２５，２５の茎把持部２６，２６を、茎部分３１にその半径方向、つまり、茎部分３１の軸方向とほぼ直交する方向から接触させることができ、対向する曲面同士を対向させた状態において、その曲面間で茎部分３１を挟むことができるのである。よって、一対の挟持部材２５，２５における茎把持部２６，２６の曲面から茎部分３１に加わる力の方向をほぼ同一平面上（線ＣＰと平行な面上）に位置させることができるから、茎把持部２６，２６から茎部分３１を折れ曲げるような力が加わることを防ぐことができ、花の茎部分３１を安定した状態で支持することができ、しかも、茎部分３１の損傷をより確実に抑えることができる。
【００１８】
つぎに、花止め具１の使用方法について説明する。
図４において、符号Ｗは花が取り付けられる衣服を示している。この衣服Ｗは、その表面と裏面と貫通する挿入孔Ｗａが形成されたものである。
図４に示すように、本実施形態の花止め具１を使用して衣服Ｗに花を取り付ける場合、まず、花３０を、その花びら３２が衣服Ｗの表側に位置するように茎部分３１を挿入孔Ｗａに挿入し、茎部分３１が衣服Ｗの裏側に突出するように配置する。
ついで、付勢手段１５の本体部１６を指などで掴んで、本体部１６の両側方から力を加えると、本体部１６はその内径Ｄが小さくなるように変形する（図３（Ａ）参照）。すると、一対の挟持部材２５，２５が離間し、一対の茎把持部２６，２６の間に空間Ａが広くなるから、広くなった空間Ａに花３０の茎部分３１を配置する。
そして、一対の挟持部材２５，２５の間に花３０の茎部分３１を配置してから、本体部１６から指を離す、つまり、本体部１６に外力を加えるのを止めれば、本体部１６は、その弾性力により元の形状に戻るから、一対の挟持部材２５，２５は互いに接近し、一対の茎把持部２６，２６によって花３０の茎部分３１が挟まれる。すると、花３０の茎部分３１に本実施形態の花止め具１が固定されるから、花止め具１によって花３０の茎部分３１が挿入孔Ｗａから抜け落ちること防ぐことができ、花３０を衣服Ｗに取り付けることができる。
【００１９】
上記のごとく、本実施形態の花止め具１によれば、花３０の花びら３２を衣服Ｗの表面に配置した状態で、花止め具１によって花３０の茎部分３１を衣服Ｗの裏側で挟めば、花３０を衣服Ｗに容易に取り付けることができる。しかも、花止め具１は衣服Ｗの裏側に配置されているから、花止め具１を衣服Ｗの表面に露出させずに花３０を衣服Ｗに飾り付けることができ、最も美しい花３０の花びら３２の部分を衣服Ｗの表面に体裁良く飾り付けることができる。
また、付勢手段１５の本体部１６に外力を加えて変形させて一対の挟持部材２５，２５を離間させ、茎把持部２６，２６の間に花３０の茎部分３１を配置した後、本体部１６に外力を加えるのを止めるだけで、花止め具１を花３０の茎部分３１に取り付けることができるから、花３０を簡単に衣服Ｗに取り付けることができる。そして、取り付ける生花は、茎部分３１が衣服Ｗの裏側に突出させることができ、かつ、一対の挟持部材２５，２５によって挟むことができるだけの長さがあればよいので、茎部分３１が短く細いものや、小さな花やまだつぼみの状態にあるものなど、多様な種類の生花を衣服Ｗ飾りつけることができる。衣服Ｗに取り付けることができる花３０としては、例えば、カトレア、デンファレ、デンドロビューム、シプリペディム、胡蝶蘭、バンダ、シンビジューム、エビネ蘭等の蘭花、菊、バラ、カーネーションなどの生花が好ましいが、特に限定はなく、造花であってもよい。
【００２０】
なお、一対の挟持部材２５，２５の一対の茎把持部２６，２６は、花３２の茎部分３１を挟むことができる程度の長さと厚さがあればよい。そして、一対の茎把持部２６，２６の長さと厚さは、例えば、長さは１０mmから３０mm程度が好適であり、厚さは、５mmから２０mm程度が好適である。
なお、一対の挟持部材２５，２５は板状に限られず、曲面を有する一対の茎把持部２６，２６を備えていればよく、特に限定はない。
【００２１】
さらに、付勢手段１５の本体部１６外面の適所に、突起状に形成された固定部１８を設けてもよい。図４に示すように、衣服Ｗに設けられている挿入孔Ｗａの近傍に、例えば直径１〜２ｍｍ程度の固定用孔Ｗｂを形成しておき、花３０の茎部分３１を花止め具１の一対の挟持部材２５，２５で挟んだ状態で、固定部１８を衣服Ｗの固定用孔Ｗｂに挿入すれば、花止め具１が花３０の茎部分３１とともに、花３０の茎部分３１周りに回転することを防ぐことができる。
したがって、花３０の重み等で花３０の茎部分３１が挿入孔Ｗａ内で回転することを防ぐことができるから、花３０の重みで装飾した位置や向きがずれたりすることを防止することができる。
なお、固定部１８は、衣服Ｗの固定用孔Ｗｂに挿入できるものであれば、形状はどのようなものであっても良いし、本体部１６のどの位置に接続されていても良い。また、固定用孔Ｗｂは、花止め具１の固定部１８を挿入することができ、かつ簡単に抜け落ちない大きさであればよく、花止め具１の固定部１８の太さに応じて決めればよい。
【００２２】
本実施形態の花止め具１は、初めから図１に示すような形状に成形して形成してもよいが、図３（Ｂ）に示すような形状、つまり、一対の挟持部材２５，２５同士が引っ掛り合っておらず両者の間が大きく開いた状態に成形してから、一方の挟持部材２５を、他方の挟持部材２５に引っ掛るように変形させて製造してもよい。すると、一対の挟持部材２５，２５同士を接近させる付勢力を強くすることができ、花３０の茎部分３１を安定した状態で確実に保持することができる。
【産業上の利用可能性】
【００２３】
本発明の花止め具は、花を衣服に取り付けるためだけでなく、種々の物品を挟んで固定することも使用可能であり、特に、軸状の部材の固定に好適である。
【図面の簡単な説明】
【００２４】
【図１】本実施形態の花止め具１の単体図であって、（Ａ）は斜視図であり、（Ｂ）は正面図である。
【図２】Ａ）は図１（Ｂ）のIIＡ−IIＡ線矢視図であり、（Ｂ）は把持部材１１の概略説明図であり、（Ｃ）は茎把持部２６の拡大説明図である。
【図３】（Ａ）は本実施形態の花止め具１において、一対の把持部材２５，２５を離間させた状態の説明図であり、（Ｂ）は一対の把持部材２５，２５を係合させる前の状態の説明図である。
【図４】本実施形態の花止め具１を衣服に取り付けた状態の説明図である。
【符号の説明】
【００２５】
１      花止め具
１５      付勢手段
２１      上側案内部
２１Ｓ    案内面
２２      下側案内部
２２Ｓ    案内面
２５      挟持部材
２６      茎把持部
２７      支持突起
Ｗ      衣服
Ｗａ    挿入孔
Ｗｂ    固定用孔
【図１】
2006187458.tif 000003
【図２】
2006187458.tif 000004
【図３】
2006187458.tif 000005
【図４】
2006187458.tif 000006